(57)【要約】【課題】  持ち運びに便利であり、設置面に対して投射を行う際の操作性に優れたプロジェクタを提供する。【解決手段】  画像を投射する光を射出する投射部を有する第１の筐体４と、前記投射部から射出された光を反射するミラーを備える第２の筐体６と、前記ミラーが前記投射部から射出された光を設置面方向へ反射する第１の回転位置と前記ミラーが収納される第２の回転位置とに回転可能に前記第１の筐体及び前記第２の筐体を接続する接続部８と、前記第１の筐体に対する前記第２の筐体の回転状態を検出する検出部と、前記回転状態に応じて前記投射部による投射状態を制御する制御部とを備える。【選択図】  図３
2012118257.tif 000002
【特許請求の範囲】
【請求項１】
画像を投射する光を射出する投射部を有する第１の筐体と、
前記投射部から射出された光を反射するミラーを備える第２の筐体と、
前記ミラーが前記投射部から射出された光を設置面方向へ反射する第１の回転位置と前記ミラーが収納される第２の回転位置とに回転可能に前記第１の筐体及び前記第２の筐体を接続する接続部と、
前記第１の筐体に対する前記第２の筐体の回転状態を検出する検出部と、
前記回転状態に応じて前記投射部による投射状態を制御する制御部と
を備えることを特徴とするプロジェクタ。
【請求項２】
前記検出部は、前記第１の回転位置と前記第２の回転位置との間の所定の位置である第３の回転位置を検出することを特徴とする請求項１記載のプロジェクタ。
【請求項３】
前記制御部は、前記検出部により前記第１の回転位置から前記第３の回転位置を経て再び前記第１の回転位置へ戻る往復動作を第１の所定時間内に１度検出した場合には前記投射部に対する第１の制御を行い、前記検出部により前記往復動作を第２の所定時間内に２度検出した場合には前記投射部に対する第２の制御を行うことを特徴とする請求項２記載のプロジェクタ。
【請求項４】
前記制御部は、前記投射部における画像の投射開始及び画像の投射停止を行うことを特徴とする請求項１〜３の何れか一項に記載のプロジェクタ。
【請求項５】
前記制御部は、前記投射部における静止画像の順送り及び逆戻しを行うことを特徴とする請求項１〜４の何れか一項に記載のプロジェクタ。
【請求項６】
前記制御部は、前記投射部における動画の再生、早送り、巻き戻し及び一時停止を行うことを特徴とする請求項１〜５の何れか一項に記載のプロジェクタ。
【請求項７】
複数の入力信号を受信可能な受信部を備え、
前記制御部は、入力信号の切り替えを行うことを特徴とする請求項１〜６の何れか一項に記載のプロジェクタ。
【請求項８】
前記制御部は、前記投射部における直前の前記投射状態に応じた制御を行うことを特徴とする請求項１〜７の何れか一項に記載のプロジェクタ。
【発明の詳細な説明】
【技術分野】
【０００１】
本発明は、プロジェクタに関するものである。
【背景技術】
【０００２】
机等の設置面に対して投射を行うプロジェクタが知られている（例えば、特許文献１参照）。このプロジェクタにおいては投射を行わない場合には、設置面に対して投射画像を反射するミラーを本体に収納可能に構成することにより携帯性を向上させている。
【先行技術文献】
【特許文献】
【０００３】
【特許文献１】特開２００７−３１０１９４号公報
【発明の概要】
【発明が解決しようとする課題】
【０００４】
しかし、このプロジェクタにおいては本体とは別に操作部材を携帯しなければならず持ち運ぶ際に不便であった。
【０００５】
本発明の目的は、持ち運びに便利であり、設置面に対して投射を行う際の操作性に優れたプロジェクタを提供することである。
【課題を解決するための手段】
【０００６】
本発明に係るプロジェクタは、画像を投射する光を射出する投射部を有する第１の筐体と、前記投射部から射出された光を反射するミラーを備える第２の筐体と、前記ミラーが前記投射部から射出された光を設置面方向へ反射する第１の回転位置と前記ミラーが収納される第２の回転位置とに回転可能に前記第１の筐体及び前記第２の筐体を接続する接続部と、前記第１の筐体に対する前記第２の筐体の回転状態を検出する検出部と、前記回転状態に応じて前記投射部による投射状態を制御する制御部とを備えることを特徴とする。
【発明の効果】
【０００７】
本発明によれば、持ち運びに便利であり、設置面に対して投射を行う際の操作性に優れたプロジェクタを提供することができる。
【図面の簡単な説明】
【０００８】
【図１】第１の実施の形態に係るプロジェクタにおいて第２の筐体が第１の回転位置に位置する場合の斜視図である。
【図２】第１の実施の形態に係るプロジェクタにおいて第２の筐体が第２の回転位置に位置する場合の斜視図である。
【図３】第１の実施の形態に係るプロジェクタにおいて第２の筐体が第１の回転位置に位置する場合の断面図である。
【図４】第１の実施の形態に係るプロジェクタの第１の筐体と第２の筐体とを接続する接続部の内部構造を示す図である。
【図５】第１の実施の形態に係るプロジェクタのシステム構成を示すブロック図である。
【図６】第１の実施の形態に係るプロジェクタにおいて静止画を投射する場合の処理を示すタイムチャートである。
【図７】第１の実施の形態に係るプロジェクタにおいて動画を投射する場合の処理を示す図である。
【図８】第２の実施の形態に係るプロジェクタのシステム構成を示すブロック図である。
【発明を実施するための形態】
【０００９】
以下、図面を参照して本発明の実施の形態に係るプロジェクタについて説明する。図１は、第１の実施の形態に係るプロジェクタにおいて第２の筐体が第１の回転位置に位置する場合の斜視図であり、図２は、第１の実施の形態に係るプロジェクタにおいて第２の筐体が第２の回転位置に位置する場合の斜視図である。
【００１０】
プロジェクタ２は、第１の筐体４、第２の筐体６を備え、第２の筐体６は、図１に示す第１の回転位置と図２に示す第２の回転位置との間を回転可能に設けられている。また、図１に示すように第１の筐体４には開口２４が設けられ、第２の筐体６にはミラー２６が設けられている。また、図２に示すように第２の回転位置においては、ミラー２６及び第２レンズ２３が露出せず外部から保護することができる。従って、例えば、第１の回転位置の場合には設置面２８に対して画像の投射を行うことができ、第２の回転位置の場合には第２の筐体６を第１の筐体４側に折り畳んだ収納状態であるため鞄の中等に入れて持ち運ぶ際にミラー２６及び第２レンズ２３を保護することができる。なお、第２の筐体６は第１の筐体４とヒンジ８を介して接続され、ヒンジ８を軸に第１の回転位置と第２の回転位置との間の移動を行う。
【００１１】
図３は、第１の実施の形態に係るプロジェクタにおいて第２の筐体が第１の回転位置に位置する場合の断面図である。この図においては、プロジェクタ２の投射光学系を示す。第１の筐体４の内部には、光源であるＬＥＤ（発光ダイオード）１４、ＬＥＤ１４から射出された光を集光するコンデンサレンズ１６、入射した光をＰ偏光成分の光とＳ偏光成分の光とに分離するＰＢＳ（偏光ビームスプリッタ）１８、ＰＢＳ１８を透過した光により読み出される投射画像を表示するＬＣＯＳ２０、読み出された投射画像を投射する第１レンズ２２と第２レンズ２３を備えている。また、第１の筐体４には開口２４が設けられ、第２レンズ２３から射出された光は開口２４を介してミラー２６に入射する。
【００１２】
ここで、ミラー２６は、入射した光を反射し投射方向を設置面２８方向とし、設置面２８上に鮮明な画像を結像可能な反射面を有している。また、不図示のストッパにより第２の筐体６を第１の回転位置に固定することができる。従って、第２の筐体６を第１の回転位置に固定した状態でミラー２６により反射された光により設置面２８上に投射画像が結像される。
【００１３】
なお、ＬＣＯＳ２０はモノクロタイプのものを用いてもよいし、各画素にカラーフィルタが装着されたカラータイプのものを用いてもよい。また、ＬＥＤ１４としては白色ＬＥＤを用いてもよいし、赤・緑・青の３個のＬＥＤを用いて順次点灯する色順次方式としてもよい。また、投射される画像の台形補正、収差補正を良好に行うために、第１レンズ２２は軸対称非球面レンズ、第２レンズ２３は自由曲面レンズ、ミラー２６は自由曲面ミラーとすることが好ましい。
【００１４】
図４は、第１の実施の形態に係るプロジェクタの第１の筐体と第２の筐体とを接続する接続部の内部構造を示す図であり、図４（ａ）は第２の筐体が第１の回転位置に位置する場合の図である。第１の筐体４は棒状の突起３０を有する検出スイッチ３２を備え、第２の筐体６には棒状の突起３０が当接する突起部３４が設けられている。図４（ａ）に示すように、第１の回転位置においては突起部３４により棒状の突起３０が押され、検出スイッチ３２がＯＮの状態となる。
【００１５】
また、図４（ｂ）は第２の筐体が第３の回転位置に位置する場合の図である。ここで、第３の回転位置は第１の回転位置と第２の回転位置の間の所定の位置であり、第１の回転位置から第２の回転位置方向へ例えば５°など所定角度だけ実線矢印方向へ回転させた位置である。
【００１６】
第３の回転位置においては、棒状の突起３０から突起部３４が離れ、検出スイッチ３２がＯＦＦの状態となる。ここで、第１の回転位置から第３の回転位置回転させる際のトルクの絶対値が、第３の回転位置から第２の回転位置までのトルクの絶対値よりも大きくなるように第２の筐体６は破線矢印方向へ付勢されている。従って、第１の回転位置から第３の回転位置へ回転させた場合には、クリック感により第２の筐体６が第３の回転位置にあることを使用者に報知することができる。
【００１７】
図５は、第１の実施の形態に係るプロジェクタのシステム構成を示すブロック図である。プロジェクタ２は、ＣＰＵ３６を備え、ＣＰＵ３６には、ＬＣＯＳ１４、ＬＥＤ２０、検出スイッチ３２、投射画像の画像データ等を記憶する記憶部３８が接続されている。
【００１８】
次に、第１の実施の形態に係るプロジェクタの電源がＯＮにされた場合の処理について説明する。プロジェクタ２の不図示の電源スイッチがＯＮにされると、ＣＰＵ３６は検出スイッチ３２がＯＮとなっているか否かを判定する。即ち、第２の筐体６が第１の回転位置であるか否かを判定する。
【００１９】
検出スイッチ３２がＯＮである場合には、ＣＰＵ３６はＬＥＤ２０に電力を供給しＬＥＤ２０を点灯をさせる。また、このときＣＰＵ３６は、ＬＣＯＳ１４に記憶部３８から読み出した投射画像を表示する。従って、設置面２８に対する投射画像の投射が開始される。一方、不図示の電源スイッチがＯＮとされた場合であっても、検出スイッチ３２がＯＦＦである場合には、ＣＰＵ３６はＬＥＤ２０に対する電力の供給は行わず、画像の投射を行わない。
【００２０】
次に、図６に示すタイムチャートを参照して第１の実施の形態に係るプロジェクタにおいて静止画を投射している場合の処理について説明する。なお、以下の説明においては記憶部３８に記憶されている画像データには静止画像である画像５０及び画像５２が含まれ、画像５０、画像５２の順序で表示されるように順序情報が付加されているものとする。
【００２１】
投射を開始する際には第２の筐体６を第１の回転位置に位置させる。これによりＣＰＵ３６は、ＬＣＯＳ１４に画像５０を表示し、画像５０の投射を行う。この場合において、画像の投射中に使用者により第２の筐体６を第３の回転位置まで回転させて再び第１の回転位置に戻す操作が行われると、操作が行われている間は検出スイッチ３２の棒状の突起３０から突起部３４が離れるため、図６（ａ）に示すように検出スイッチ３２はＯＦＦとなる。検出スイッチ３２がＯＦＦになると、ＣＰＵ３６はＬＥＤ２０に対する電力の供給を停止しＬＥＤ２０を消灯する。検出スイッチ３２がＯＦＦである状態の継続時間ｔ１が１秒など所定時間Ｔ１以上である場合には、再び検出スイッチ３２がＯＮになるとＣＰＵ３６はＬＥＤ２０に対する電力の供給を再開しＬＥＤ２０を点灯する。このとき、ＬＣＯＳ１４には、ＬＥＤ２０の消灯前に表示していた画像と同一の画像５０を表示し、画像５０の投射を行う。
【００２２】
即ち、第１の回転位置から第２の回転位置方向へ第２の筐体６を回転させる操作の開始から第３の回転位置を経て第１の回転位置に戻るまでの時間がＴ１以上である場合には、回転操作が行われている間はＬＥＤ２０の消灯を行い、ＬＥＤ２０の点灯を再開する際にはＬＣＯＳ１４に表示する画像の変更は行わない。
【００２３】
次に、図６（ｂ）に示すようにＬＣＯＳ１４に画像５０を表示し、画像５０の投射を行っている際に検出スイッチ３２がＯＮからＯＦＦになり、ＯＦＦである状態の継続時間ｔ２が１秒など所定時間Ｔ１未満である場合について説明する。この場合には、検出スイッチ３２がＯＦＦになるとＣＰＵ３６はＬＥＤ２０に対する電力の供給を停止し、ＬＥＤ２０を消灯する。また、検出スイッチ３２がＯＦＦになってから時間ｔ２後に再び検出スイッチ３２がＯＮになると、ＣＰＵ３６は検出スイッチ３２がＯＦＦになってから所定時間Ｔ２経過後にＬＥＤ２０に対する電力の供給を再開し、ＬＥＤ２０を点灯する。また、このときＣＰＵ３６は、ＬＥＤ２０の消灯前に表示していた画像５０の次の順序の画像５２をＬＣＯＳ１４に表示し、画像５２の投射を行う。
【００２４】
即ち、第１の回転位置から第２の回転位置方向へ第２の筐体６を回転させる操作の開始から第３の回転位置を経て第１の回転位置に戻る往復動作が時間Ｔ１内で１度行われた場合には、ＬＥＤ２０の点灯を再開する際には消灯前に表示していた画像の次の順序の画像をＬＣＯＳ１４に表示する。以下、この時間Ｔ１内で行われる１度の往復動作を「操作ｂ」という。
【００２５】
また、図６（ｃ）に示すようにＬＣＯＳ１４に画像５２を表示し、画像５２の投射を行っている際に検出スイッチ３２がＯＮからＯＦＦになり、ＯＮとなった後再びＯＮからＯＦＦになる場合について説明する。１回目のＯＦＦである状態の継続時間ｔ３及び２回目のＯＦＦである状態の継続時間ｔ４がそれぞれＴ１未満であり、かつ、検出スイッチ３２が１回目のＯＦＦとなってから２回目のＯＦＦ後のＯＮとなるまでの時間ｔ５が３秒など所定時間Ｔ２未満である場合には、検出スイッチ３２が１回目のＯＦＦになるとＣＰＵ３６はＬＥＤ２０に対する電力の供給を停止し、ＬＥＤ２０を消灯する。また、検出スイッチ３２が２回目のＯＦＦ後のＯＮになると、ＣＰＵ３６は検出スイッチ３２が１回目のＯＦＦになってから所定時間Ｔ２経過後にＬＥＤ２０に対する電力の供給を再開し、ＬＥＤ２０を点灯する。また、このとき、ＬＣＯＳ１４にはＬＥＤ２０の消灯前に表示していた画像５２の前の順序の画像５０を表示し、画像５０の投射を行う。
【００２６】
即ち、第１の回転位置から第２の回転位置方向へ第２の筐体６を回転させる操作の開始から第３の回転位置を経て第１の回転位置に戻る往復動作が時間Ｔ２未満で２度行われ、かつそれぞれの往復運動が時間Ｔ１未満で行われた場合には、ＬＥＤ２０の点灯を再開する際には消灯前に表示していた画像の前の順序の画像をＬＣＯＳ１４に表示する。以下、この時間Ｔ２内で行われる２度の往復動作を「操作ｃ」という。
【００２７】
次に、図７を参照して第１の実施の形態に係るプロジェクタにおいて動画を投射している場合の処理について説明する。図７のＳ１に示すように動画の再生を行っている場合において、操作ｂが行われると、Ｓ２に示すようにＣＰＵ３６はＬＣＯＳ１４に表示している動画の表示を２倍速の早送りで行う。Ｓ２の状態において操作ｂが行われると、Ｓ３に示すようにＣＰＵ３６はＬＣＯＳ１４に表示している動画の表示を５倍速の早送りで行う。Ｓ３の状態においてさらに操作ｂが行われた場合には、５倍速の早送りのままとする。Ｓ２及びＳ３の状態において操作ｃが行われると、ＣＰＵ３６はＳ１に示す通常の動画再生を行う。
【００２８】
また、Ｓ１に示すように動画の再生を行っている場合において、操作ｃが行われると、Ｓ４に示すようにＣＰＵ３６は再生している動画を一時停止する。Ｓ４の状態で操作ｃが行われると、Ｓ５に示すように１倍速で動画を逆方向に再生する。Ｓ５の状態で操作ｃが行われると、Ｓ６に示すように２倍速で動画を逆方向に再生する早戻しを行う。Ｓ６の状態で操作ｃが行われると、Ｓ７に示すように５倍速で早戻しを行う。Ｓ７の状態においてさらに操作ｃが行われた場合には、５倍速の早戻しのままとする。Ｓ４〜Ｓ７に示す何れかの状態において操作ｂが行われると、ＣＰＵ３６はＳ１に示す通常の動画再生を行う。
【００２９】
本実施の形態に係るプロジェクタは、持ち運びに便利であり、設置面に対して投射を行う際の操作性が優れている。また、位置検出機構という簡便な機構を用いて複雑な動作指示を受け付けることができる。また、暗所で使用する場合に、操作ボタンを探す必要がなく、容易かつ確実に操作を行うことができる。
【００３０】
なお、上述の実施の形態においては、投射光学系として第１レンズ２２、第２レンズ２３の投射レンズ２枚及び反射ミラー１枚を用いて投射画像を拡大し設置面２８に投射する構成としたが、良好な台形補正、収差補正が可能であれば複数のレンズ群からなる他の構成としてもよい。
【００３１】
また、上述の実施の形態においては、トルクを変化させることにより第３の回転位置を使用者に報知する構成としたが、第２の筐体６が第３の回転位置に位置する場合に点灯するランプを用いて第３の回転位置に報知する構成としてもよい。
【００３２】
また、上述の実施の形態においては、検出スイッチ３２を用いて第３の回転位置を検出する構成としたが、反射型フォトインタラプタや透過型フォトインタラプタなどの他の検出手段を用いる構成としてもよい。
【００３３】
次に、図面を参照して本発明の第２の実施の形態に係るプロジェクタについて説明する。この第２の実施の形態に係るプロジェクタは、第１の実施の形態に係るプロジェクタに入力切替部を付加したものである。従って、第１の実施の形態と同一の構成についての詳細な説明は省略し、異なる部分のみについて詳細に説明する。また、第１の実施の形態と同一の構成には同一の符号を付して説明する。
【００３４】
図８は、第２の実施の形態に係るプロジェクタのシステム構成を示すブロック図である。プロジェクタ２はＣＰＵ３６を備え、ＣＰＵ３６にはＬＣＯＳ１４、ＬＥＤ２０、検出スイッチ３２、入力ｉ〜入力ｉｖを切り替えることによりＬＣＯＳ１４に表示する画像を切り替える入力切替部５４が接続されている。また、入力切替部５４の入力ｉ〜入力ｉｖには、ビデオ信号、ＰＣ画像信号、ＵＳＢメモリからの信号、内蔵メモリからの信号などが入力される。ここで、入力ラインのそれぞれに異なる種類の信号が入力する構成としてもよいし、同種の信号が複数の入力ラインに入力する構成としてもよい。
【００３５】
ＣＰＵ３６は、プロジェクタ２の電源がＯＮとされている状態において、操作ｂが行われると、ＬＣＯＳ１４に表示する画像の入力信号を入力切替部５４の入力ｉから入力ｉｉへ切り替える。さらに操作ｂが行われると入力ｉｉから入力ｉｉｉへ表示する画像の入力信号を切り替え、同様にして操作ｂが行われると、入力ｉｉｉから入力ｉｖへ、入力ｉｖから入力ｉへ切り替える。
【００３６】
また、操作ｃが行われた場合には、ＬＣＯＳ１４に表示する画像の入力信号を入力切替部５４の入力ｉから入力ｉｖへ切り替える。さらに操作ｃが行われると入力ｉｖから入力ｉｉｉへ表示する画像の入力信号を切り替え、同様にして操作ｃが行われると、入力ｉｉｉから入力ｉｉへ、入力ｉｉから入力ｉへ切り替える。
【００３７】
本実施の形態に係るプロジェクタは、持ち運びに便利であり、設置面に対して投射を行う際の操作性に優れている。また、複数の入力信号に対応することができる。
【００３８】
なお、上述の第２の実施の形態においては、操作ｂ及び操作ｃが行われると入力信号の切替処理を行う構成としたが、操作ｂ及び操作ｃが行われると、静止画を投射している場合には投射する画像を次の順序の画像及び前の順序の画像に切り替える処理を行い（図６（ｂ）及び（ｃ）参照）、動画を投射している場合には投射する動画の早送り及び早戻し等の処理を行い（図７参照）、画像の投射を行っていない場合には第２の実施の形態における入力信号の切替処理を行う構成としてもよい。
【符号の説明】
【００３９】
２…プロジェクタ、４…第１の筐体、６…第２の筐体、８…ヒンジ、１４…ＬＥＤ、２０…ＬＣＯＳ、２６…ミラー、３２…検出スイッチ、３６…ＣＰＵ
【図１】
2012118257.tif 000003
【図２】
2012118257.tif 000004
【図３】
2012118257.tif 000005
【図４】
2012118257.tif 000006
【図５】
2012118257.tif 000007
【図６】
2012118257.tif 000008
【図７】
2012118257.tif 000009
【図８】
2012118257.tif 000010